【事件の表示】
　特許第２９６２３０６号「プリンタのインク残量表示方法」の請求項１に係る特許に対する特許異議の申立てについて、次のとおり決定する。
【結　論】
　訂正を認める。
　特許第２９６２３０６号の請求項１に係る特許を取り消す。
【理　由】
１．手続きの経緯
　特許第2962306号（以下、「本件特許」という。）の請求項１に係る発明は、昭和63年6月29日に出願した特願昭63-161801号の一部を新たな出願として平成10年1月12日に出願した特願平10-4310号の一部を新たな出願として平成10年2月2日に出願した特願平10-20873号の一部を新たな出願として平成10年2月26日に特許出願され、平成11年8月6日にその特許権の設定登録がなされ、その後、キヤノン株式会社（以下「申立人」という。）より特許異議の申立てがなされ、取消理由通知がされ、その指定期間内である平成12年10月17日に訂正請求がなされたものである。
　
２．訂正の適否についての判断
（１）訂正の内容
（訂正事項ａ）
　特許請求の範囲の請求項１の
「インク量出力手段からカラーインク量情報を出力するステップと、上記インク量出力手段から出力された上記カラーインク量情報に基づいて、上記印刷対象の映像が表示される上記映像表示装置の画面上にカラーインクの残量を示す表示を行なうステップ」を、
「インク量出力手段から、インク保持部材に保持されるカラーインクのカラーインク量情報を出力するステップと、上記インク量出力手段から出力された上記カラーインク量情報に基づいて、上記印刷対象の映像が表示される上記映像表示装置の画面上に、上記インク保持部材に保持されるカラーインクの残量を示す表示を行なうステップ」に訂正する。
　
（訂正事項ｂ）
　特許明細書の段落番号［0005］の
「インク量出力手段からカラーインク量情報を出力するステップと、インク量出力手段から出力されたカラーインク量情報に基づいて、印刷対象の映像が表示される映像表示装置の画面上にカラーインクの残量を示す表示を行なうステップ」を、
「インク量出力手段から、インク保持部材に保持されるカラーインクのカラーインク量情報を出力するステップと、上記インク量出力手段から出力された上記カラーインク量情報に基づいて、上記印刷対象の映像が表示される上記映像表示装置の画面上に、上記インク保持部材に保持されるカラーインクの残量を示す表示を行なうステップ」に訂正する。
　なお、訂正事項ｂに関しては、訂正請求書の訂正の要旨における訂正事項ｂの記載と訂正明細書の該当個所の記載との間に齟齬があるが、両者間に実質的な違いがあるわけではないので、訂正明細書の記載を採用した。
　
（２）訂正の目的の適否、新規事項の有無及び拡張・変更の存否
　本件特許は、後述の３．特許異議の申立てについての判断、（３）本件特許の出願日について、の項で述べるように、平成10年2月2日に出願があったものとみなして訂正について判断する。
　
（訂正事項ａ）
　「カラーインク量情報」を「インク保持部材に保持されるカラーインクのカラーインク量情報」とする訂正は、カラーインクの保持状態を限定するものであり、特許請求の範囲の減縮を目的とするものである。
　願書に添付された明細書又は図面には、インクがリボンに保持されたものであることは記載されているも、インクがインク保持部材に保持されているとの直接的な記載はない。しかし、この種のプリンタにおいてインクが単独に存在していることは常識的ではなく、インクを使用するプリンタである以上、インクがインク保持部材に保持されていることは常識的であり、一義的に記載されていた事項であるとすることができるから、この訂正は新規事項の追加には該当しない。
　そして、この訂正によって特許請求の範囲が実質的に拡張され、又は変更されるものでもない。
　
（訂正事項ｂ）
　この訂正は特許請求の範囲を訂正したことに伴って、明細書の発明の詳細な説明の記載をそれに整合させるためのものであり、明りょうでない記載の釈明を目的とするものであり、上で述べたように新規事項の追加には該当しないし、特許請求の範囲を実質的に拡張又は変更するものでもない。
　
（３）むすび
　以上のとおりであるから、上記訂正は、特許法第120条の4第2項及び同条第3項において準用する特許法第126条第2項から第4項までの規定に適合するので、当該適正を認める。
　
３．特許異議の申立てについての判断
（１）当審による取消理由の概要
（ア）本件特許の出願は、原原出願である特願平10-4310号との関係において適法な分割出願とすることができず、原出願である特願平10-20873号の出願日である平成10年2月2日に出願されたものとみなす。
（イ）本件発明は、刊行物１（特開平2-9672号公報）および刊行物２（シャープ書院ハンドブック）記載の発明に基づいて、当業者が容易に発明をすることができたものであり、本件発明の特許は特許法第29条第2項の規定に違反してされたものである。
（ウ）本件発明、刊行物２、刊行物３（特開昭59-194853号公報）、刊行物４（特開昭61-168036号公報）、刊行物５（特開昭63-120678号公報）、刊行物６（特開昭60-176372号公報）および刊行物７（特開昭61-220024号公報）記載の発明に基づいて、当業者が容易に発明をすることができたものであり、本件発明の特許は特許法第29条第2項の規定に違反してされたものである。
（エ）本件特許の出願は、特許を受けようとする発明が発明の詳細な説明に記載されたものではないから、その特許は特許法第36条第6項第1号の要件を満たしていない特許出願に対してされたものである。
　
（２）本件発明
　訂正明細書の請求項１に係る発明は、訂正明細書の特許請求の範囲の請求項１に記載された次のとおりのものであり（以下、「本件発明」という。）。
　
［請求項１］印刷対象の映像が映像表示装置に表示されるプリンタのインク残量表示方法において、インク量出力手段から、インク保持部材に保持されるカラーインクのカラーインク量情報を出力するステップと、上記インク量出力手段から出力された上記カラーインク量情報に基づいて、上記印刷対象の映像が表示される上記映像表示装置の画面上に、上記インク保持部材に保持されるカラーインクの残量を示す表示を行なうステップとを有することを特徴とするプリンタのインク残量表示方法。
　
（３）本件特許の出願日について
（ア）本件特許に係る出願は、昭和63年6月29日に出願した特願昭63-161801号の一部を新たな出願として平成10年1月12日に出願した特願平10-4310号の一部を新たな出願として平成10年2月2日に出願した特願平10-20873号の一部を新たな出願として平成10年2月26日に出願したものである。
　
（イ）本件特許の出願時の特願平10-20873号（以下「原出願」という。）の明細書の特許請求の範囲には「［請求項１］印刷対象の画像が画像表示装置に表示されるプリンタにおいて、インク量情報を出力するインク量出力手段を具備し、上記インク量出力手段により出力された上記インク量情報に応じて、上記画像表示装置に上記インクの残量が表示されることを特徴としたプリンタ装置。」とあり、また、発明の詳細な説明の段落番号［0005］［課題を解決するための手段］の項や段落番号［0047］［発明の効果］の項にもそれに対応する技術的事項が記載されており、そこにはそのプリンタ装置によって実行される「インク残量表示方法」についても実質的に記載されているとみることができるから、本件発明は原出願の明細書又は図面に独立した技術的事項として把握できるように記載されていたとすることができ、本件発明に係る出願は適法な分割出願といえるから、出願日は平成10年2月2日まで遡及する。
　
（ウ）原出願の出願時の特願平10-4310号（以下「原原出願」という。）の明細書には以下の事項が記載されている。
ａ）［請求項３］前記リボンの残量を記憶する記憶手段を有して成ることを特徴とする請求項１又は請求項２記載のプリンタ。（明細書の特許請求の範囲）
ｂ）［発明の属する技術分野］本発明は映像信号や各種データをプリントするプリンタに係わり、特にリボン装着の有無、リボンの種類、リボン残量等のリボン状態を検出表示可能なプリンタに関する。（明細書段落0001）
ｃ）図６はインクリボンの残量を表示するための流れ図である。図１でカバー１ａを開いて、インクリボンカセットを挿入し、１枚のプリントをとるとリボン残量表示が行なわれる。即ち、図２の残りリボン釦２ｂ５ を押している間、モニタテレビ３にはリボンの種類と残り枚数が表示される。例えばリボンの種類がカラーで残り枚数が９９枚であれば「ＣＯＬＯＲ　ＲＩＢＢＯＮ　９９」の如き表示がＣＲＴ画面の中央に出る。（明細書段落0029〜0030）
ｄ）この様なリボン残量を表示するフローを図６で説明する。図６で第１ステップＳＴ１では残りリボン釦２ｂ５ が“オン”か否かをマイクロコンピュータ６は判断する。ＮＯであれば第１ステップＳＴ１を繰り返すが“オン”されていれば、第２ステップＳＴ２では現在どんなリボンが掛かっているかをみる。リボンの種類は白黒リボン、カラーリボン、ＯＨＰリボンの３種類か、リボンが掛かっていない場合の４種類であり、マイクロコンピュータ６はこれら４通りを選別出来る様に成されている。リボンがカバー１ａ内に完全に挿入されていれば白黒、カラー、ＯＨＰリボンの夫々の場合に第３ステップＳＴ３で何枚残っているかをメモリから読み出し、白黒リボンの場合は第４ステップＳＴ４に示す様に、「Ｂ／Ｗ　ＲＩＢＢＯＮ　９９」の様な表示を、同様にカラーリボンの場合は第５ステップＳＴ５に示す様に「ＣＯＬＯＲ　ＲＩＢＢＯＮ　９９」の様な表示を、ＯＨＰリボンの場合は第６ステップＳＴ６に示す様に、「ＯＨＰ　ＲＩＢＢＯＮ　９９」の様な表示が夫々モニタテレビ３のＣＲＴ画面になされる。（段落0031〜0032）
　
　上記ａ）〜ｄ）の記載からみて、本件特許の出願の原出願出願時の原原出願の明細書には、リボンの残量を印刷可能枚数を記憶する手段からの出力により、映像表示手段に表示するものについては記載されている。
　ところで、インクリボンの残量は、リボンの消費とともにそこに保持されたインクが全て消費されるわけではないから、リボンに保持されたインクの残量に関連した量ではあるものの、インクの残量そのものではない。
　これに対して、本件発明における「インク量出力手段」およびそこから出力される「カラーインク量情報」は、インクの量そのもののを出力する手段およびそこから出力されるカラーインクの量そのものの情報をも含むものであり、このようにインクの量そのものの情報を出力する手段について、原原出願の明細書に独立した技術的事項として把握できるように記載されていたとすることはできない。
　そして、「インク量出力手段」について記載されていない以上、「インク量出力手段からカラーインク量情報を出力するステップ」や「インク量出力手段から出力された上記カラーインク量情報に基づいて、上記印刷対象の映像が表示される上記映像表示装置の画面上にカラーインク残量を示す表示を行うステップ」についても、独立した技術的事項として把握できるように記載されていたとすることはできない。
　
　この点に関して特許権者は平成12年10月17日付けの特許異議意見書において、
「一般に、プリンタで使用されるインクには、そのプリンタの仕様により、液体状、粘性状（クリーム状）、或いは固体状のいろいろなタイプがあり、また、インクはその種類に応じて異なるタイプの保持部材に保持されて使用されるものであることはよく知られています。・・・すなわち、本件特許の原原出願の明細書には、インクリボンに保持されたインクも記載されているものであります。言い換えれば、本件特許の原出願の明細書の「１枚のプリントを取るとリボンの残量表示が行われる。」・・・という記載は、まさしく「１枚のプリントを取るとインクの残量表示が行われる。」と読み替えられるものであります。」（意見書4頁3行〜17行）
「さらに、本件特許の原原原出願の明細書に「マイクロコンピュータは・・・（中略）・・・第３ステップＳＴ３で何枚残っているかをメモリから読み出し、・・・（以下省略）」（第4頁右上欄第13行乃至第17行）と記載されているように、メモリから読み出されるのはインクリボンの印刷可能な残りの枚数であり、これは上記したように、まさしくインク残量に対応するものであります。すなわち、この場合、訂正後の請求項１における「インク量出力手段」とは「メモリ」に相当し、「カラーインク量情報」とは「インクリボンの印刷可能な残りの枚数（すなわち、インク残量）」に相当するものであることは、明らかであります。」（意見書5頁3行〜10行）
と主張している。
　しかし、上でも述べたように、インクリボンの残量がリボンに保持されたインクの残量に関連する量であることは否定しないが、印刷可能枚数を記憶している記憶手段が、インクの量そのものを出力することも含みうる「インク量出力手段」に相当するということはできないし、印刷可能枚数がインクの量そのものの情報を含む「カラーインク量情報」に相当するということはできないから、上記特許権者の主張は採用できない。
　
（オ）まとめ
　以上のように、本件発明は、上記原原出願の明細書に独立した技術的事項として把握できるように記載されていた発明ではないから、本件特許は、原原出願との関係において特許法第４４条第１項に規定する要件を満たしておらず、適法な分割出願と認めることができない。
　したがって、本件特許の出願は、原出願である特願平10-20873号の出願日の平成10年2月2日に出願されたものとみなす。
　
（４）取消理由の検討
Ａ．本件発明と刊行物１及び２記載の発明との対比
（ア）刊行物記載の発明
［刊行物１（特開平2-9672号公報）記載の発明）］
ａ）（３）はモニターテレビでカラービデオプリンタ（１）に接続され、再生している画像と、プリントする画像を見ることが出来、且つカラービデオプリンタ（１）からの各種メッセージを表示させることが出来る様に成されている。又、（４）はビデオ機器などのプリントしたい信号源でカラービデオプリンタ（１）に接続されている。（公報2頁左下欄3行〜9行）
ｂ）第６図はインクリボンの残りを表示するための流れ図である。第１図でカバー（１ａ）を開いて、インクリボンカセットを挿入し、１枚のプリントをとるとリボン残量表示が行なわれる。即ち、第２図の残りリボン釦（２ｂ５）を押している間、モニタテレビ（３）にはリボンの種類と残り枚数が表示される。例えばリボンの種類がカラーで残り枚数が９９枚であれば「ＣＯＬＯＲ　ＲＩＢＢＯＮ　９９」の如き表示がＣＲＴ画面の中央に出る。
　第６図で第１ステップＳＴ１では残りリボン釦（２ｂ５）が“オン”か否かをマイクロコンピュータ（６）は判断する。ＮＯであれば第１ステップＳＴ１を繰り返すが“オン”されていれば、第２ステップＳＴ２では現在どんなリボンが掛っているかをみる。リボンの種類は白黒リボン、カラーリボン、ＯＨＰリボンの３種類か、リボンが掛ってない場合の４種類であり、マイクロコンピュータはこれら４通りを選別出来る様に成されている。リボンがカバー（１ａ）内に挿入されていれば白黒，カラー，ＯＨＰリボンの夫々の場合に第３ステップＳＴ３で何枚残っているかをメモリから読み出し、白黒リボンの場合は第４ステップＳＴ４に示す様に、「Ｂ／Ｗ　ＲＩＢＢＯＮ　９９」の様な表示を、同様にカラーリボンの場合は第５ステップＳＴ５に示す様に「ＣＯＬＯＲ　ＲＩＢＢＯＮ　９９」の様な表示を、ＯＨＰリボンノ場合は第６ステップＳＴ６に示す様に、「ＯＨＰ　ＲＩＢＢＯＮ　９９」の様な表示が夫々モニタテレビ（３）のＣＲＴ画面になされる。（公報4頁左上欄下から6行〜左下欄7行）
 
　対比のためにまとめると、刊行物１には次のような発明が記載されている。
ａ）印刷対象の映像がモニターテレビに表示されるプリンタ。
ｂ）印刷にはカラーインクリボンが使用される。
ｃ）リボンの種類を判別したら何枚残っているかをメモリから読み出すステップと、印刷可能枚数をモニターテレビに表示するステップからなる、１枚のプリントを取るとインクリボンの残りをモニターテレビに表示する方法。
　
［刊行物２（「シャープ書院ハンドブック」昭和５４年９月出版）記載の発明］
ａ）第2頁にはシャープ日本語ワードプロセッサー「書院」（以下、「本装置」という）の全体図が記載され、第1頁には、本装置が「操作部」、「表示部」、「印字部」、および「ファイル部」の４部門によって構成されていることが記載されているとともに、「表示部」に関連して、「キーボードより入力された内容、あるいはファイルから呼び出してきた内容がそのままテレビ画面に表示される。これにより入力文字の確認・訂正等を行う。」と記載されている。
ｂ）第113頁および第114頁には、「表示部」の画面上に、文字入力が可能な入力有効領域と、ガイダンス領域とプロテクト領域からなる無効領域と、が設定されていることが記載され、第113頁の下から第3行〜末行には、「エラー：エラーがあればガイダンス領域に表示される。」と記載されている。このガイダンス領域に表示されるエラー表示は、第２３０頁の一覧からもインク切れのエラーを含むことが分る。
ｃ）第125頁の「印字方式」の説明には、「インクジェット方式・・・画面上に表示される文字はすべて一字対応で印字させることができるようになっている。」と記載されている。
ｄ）第229頁には「操作中、以下に示すエラーメッセージが表示されたら、速やかに支持通りのエラー処理を行うこと。・・・尚、エラーメッセージは、エラー発生時にガイダンス領域に表示される。」とあり、第230頁にはそのエラー表示として、インクジェットプリンタ「インク切れ」が記載され、さらに、第236頁の第10行には「印字の途中インクが切れると、インク切れのエラーメッセージが出る」と記載されている。
ｅ）第236頁には「＜インクの取替え＞の項に、容器に収容されたインクが図示されている。
　対比のためにまとめると、刊行物２には次のような発明が記載されている。
ａ）印刷対象の文章が表示部に表示される印字部。
ｂ）印刷には容器に保持された液体インクが使用される。
ｃ）印字の途中インクが切れると、印刷対象の文章の表示部にインク切れのエラーメッセージを表示する。
　
（イ）対比・判断
　本件発明を刊行物１記載の発明と対比すると、
ａ）刊行物１記載の発明の「モニターテレビ」、「インクリボン」は、それぞれ本件発明の「映像表示装置」、「インク保持部材に保持されるカラーインク」に相当し、
ｂ）刊行物１記載の発明の「インクリボンの残りを表示する方法」は、リボンの残りはリボンに保持されたインクの残量に関連する量であるから、本件発明の「インク残量表示方法」と「インクの残量に関連する量の表示方法」である点で共通し、
ｃ）刊行物１記載の発明の「印刷可能枚数を記憶するメモリ」は、印刷可能枚数がリボンに保持されたカラーインクの残量に関連する量であるから、本件発明の「インク量出力手段およびそこから出力されるカラーインク情報」とは「インクの残量に関連する情報を出力する手段およびそこから出力されるカラーインクの残量に関連する情報」である点で共通し、
ｄ）刊行物１記載の発明の「リボンの種類を判別したら何枚残っているかをメモリから読み出すステップ」は、「インク保持部材に保持されるカラーインクのカラーインクの残量に関連する情報を出力するステップ」ということができ、
ｅ）刊行物１記載の発明の「印刷可能枚数を印刷対象の映像が表示されるモニターテレビに表示するステップ」と、本件発明の「カラーインク量情報に基づいて、印刷対象の映像が表示される映像表示装置の画面上に、インク保持部材に保持されるカラーインクの残量を示す表示を行なうステップ」とは、「カラーインクの残量に関連する情報に基づいて、印刷対象の映像が表示される映像表示装置の画面上に、インク保持部材に保持されるカラーインクの残量に関連する量を示す表示を行なうステップ」である点で共通し、
　以上のことから、両者間には次のような一致点、相違点がある。
（一致点）
　印刷対象の映像が映像表示装置に表示されるプリンタのインク残量に関連する量の残量表示方法において、インク残量に関連する量の出力手段から、インク保持部材に保持されるカラーインクのカラーインク残量に関連する情報を出力するステップと、上記インク残量に関連する量の出力手段から出力された上記カラーインク量に関連する情報に基づいて、上記印刷対象の映像が表示される上記映像表示装置の画面上に、上記インク保持部材に保持されるカラーインクの量に関連する残量を示す表示を行なうステップとを有することを特徴とするプリンタのインク残量表示方法。
（相違点）
　インク残量に関連する量が、本件発明ではインク量であるのに対して、刊行物１記載の発明ではインクリボンの残量である点。
（相違点の検討）
　インク残量に関連する量の情報として、インクそのものの残量を測定することができる液体インクを使用したプリンタにおいて、インク量からインク切れを検出し、エラーメッセージを表示手段に表示させる点が刊行物２に記載されており、刊行物１記載の発明をインク量そのものを測定して出力することができる記録材、例えば液体インクを使用したものに変更すること、そして、その場合インクの量に関連する情報としてインク量そのものを出力する出力手段を用い、そこからの出力に基づいてインクの残量を表示装置に表示させるようにすることは、当業者ならば容易に考えつくことができたことである。
（まとめ）
　したがって、本件発明は刊行物１及び２記載の発明に基づいて当業者が容易に発明できたものであり、特許法第29条第2項の規定により特許を受けることができない。
　
Ｂ．本件発明と刊行物２、３、６記載の発明との対比
（ア）刊行物記載の発明
　以下に上げる刊行物２、３、６は、いずれも本件特許の出願の原原原出願である特願昭63-161801号の出願日（昭和63年6月29日）前に頒布されたものである。
［刊行物２（「シャープ書院ハンドブック」昭和５４年９月出版）記載の発明」
ａ）印刷対象の文章が表示部に表示される印字部。
ｂ）印刷には容器に保持された液体インクが使用される。
ｃ）印字の途中インクが切れると、印刷対象の文章の表示部にインク切れのエラーメッセージを表示する。
　
［刊行物３（特開昭５９−１９４８５３号公報）記載の発明］
ａ）従来の液体噴射記録装置において、その記録液、例えば記録インクの残量を検知する手段として、・・・他の方法は、直接インク貯留タンクを測定する方法で・・・残量が僅少になったときに表示するようにしたが、機構が複雑で、かつ高価なものとなる欠点があった。（公報1頁右下欄5行〜2頁左上欄2行）
ｂ）そして、インク滴を吐出させる為の信号パルス数と回復操作を行った回数とをそれぞれ計数し、各々１回のインク消費量を容積Ａ、容積Ｂとすれば、全インク量ＳはＳ＝Ａ＋Ｂであるから、全使用インク量Ｓがインクタンク内のインク容量に近くなった時点でインクタンクの交換を警告する表示を行うことによって、ユーザーはインクカセット・・・の交換時期を知る事ができる。又、インク消費量を常時或はある段階ごとに表示することもできる。（公報3頁左上欄5行〜11行）
ｃ）インク残量の表示は、インクタンク内のインクが僅少になった際にインクカセット交換の表示を行なう以外にインク残量を常に表示することによって、インクカセット交換時期をユーザーに対して事前に知らせる事も可能である。（公報３頁右下欄9〜13行）
　以上の記載をまとめると、
「インクタンクのインクの残量をインク消費量に基づいて間接的に検出し、その検出結果によって、インクカセットの交換を知らせる表示をしたり、或いは常時インク残量を表示したりする。」
という発明が記載されている。
　
［刊行物６（特開昭60-176372号公報）記載の発明］
「映像を印刷できるカラープリンタ装置であって、プリントする映像を表示装置に表示可能なもの。」
という発明が記載されている。
　
（イ）対比・判断
　本件発明を刊行物２記載の発明と対比すると、
ａ）刊行物２記載の発明の「印刷対象の文章を表示する表示部」と、本件発明の「印刷対象の映像を表示する映像表示装置」とは、「印刷対象の画像を表示する画像表示装置」である点で共通し、
ｂ）刊行物２記載の発明の「容器に保持された液体インク」と本件発明の「インク保持部材に保持されるカラーインク」とは、「インク保持部材に保持されるインク」である点で共通し、
ｃ）刊行物２記載の発明の「インク切れ情報」と本件発明の「カラーインクの残量」とは、「インク残量に関連する情報」である点で共通し、
　以上のことから、両者間には次のような一致点、相違点がある。
（一致点）
「印刷対象の画像が画像表示装置に表示されるプリンタのインク残量に関連する情報を表示する方法において、印刷対象の画像が表示される画像表示装置の画面上に、インク保持部材に保持されるインクの残量に関連する情報を示す表示を行なうインク残量に関連する情報の表示方法。」
（相違点）
（１）印刷対象の画像が表示される画像表示装置が、本件発明では映像が表示される映像表示装置であるのに対して、刊行物記載の発明は文章が表示される表示部である点
（２）インクが、本件発明ではカラーインクであるのに対して、刊行物１記載の発明では特に言及はないが単色と考えられる点
（３）インクの残量に関連する情報が、本件発明ではインク残量情報であるのに対して、刊行物２記載の発明ではインク切れ情報である点
（４）本件発明が、インク量出力手段から、インク保持部材に保持されるカラーインクのカラーインク量情報を出力するステップと、インク量情報に基づいて映像表示装置の画面上に、インク保持部材に保持されるカラーインクの残量を示す表示を行なうステップを有しているのに対して、刊行物２記載の発明はインクの残量に関連する情報であるインク切れ情報を表示装置に表示するものであるが、表示のための具体的な手段やステップについて記載されていない点。
（相違点の検討）
　相違点（１）および（２）については、映像を印刷するプリンタであって、印刷対象の映像を表示装置に表示させることのできるカラープリンタは刊行物６に記載されており、この種のプリンタにおいてもインク保持部材に保持されたインクを使用して印刷する以上、そのインクの残量の表示は共通の課題となるものであるから、刊行物２記載の発明を映像を印刷するカラープリンタに変更することは、当業者ならば容易に考えつくことができる構成の変更であるし、その場合インクとしてカラーインクを使用することは当業者ならば普通のこととして考えつくことである。
　相違点（３）について検討する。
　液体噴射記録装置において、インク残量の出力手段からの出力によってインク残量を表示するという技術が刊行物３に記載されており、一方本件発明においては「インク量出力手段」とか「インク量出力手段から出力されたカラーインク量情報」とあるだけで、カラーインク量を出力するための具体的な構成を規定しているわけではないし、発明の詳細な説明中でもインク量をどのように出力するかについては一切記載されていないことから、本件発明の上記構成はインク残量の表示という技術において刊行物３記載の発明と格別差があるものではない。
　刊行物３に記載された発明も刊行物２記載の発明と同様にプリンタの技術分野に属するものであり、刊行物２記載の発明をインク切れの表示に留まらず、インクの残量を表示するように変更することは、当業者が容易に考えつくことができたことである。
　相違点（４）については、上記当業者が容易に考えつくことができた構成の変更によって刊行物２記載の発明をインク残量を表示できるものに変更した場合、インク量出力手段からインク保持部材に保持されるカラーインクのカラーインク量情報を出力するステップと、その出力された情報に基づいて表示装置にインク保持部材に保持されるカラーインクの残量を示す表示を行なうステップによって、表示装置に表示させる構成とする程度のことは、設計上普通に考えつくことである。
（まとめ）
　したがって、本件発明は刊行物２、３及び６記載の発明に基づいて当業者が容易に発明できたものであり、特許法第29条第2項の規定により特許を受けることができない。
　
Ｃ．明細書の記載不備について
　本件発明の「インク量出力手段」について、発明の詳細な説明の［発明の実施の態様］の項にはインクリボンの印刷可能枚数を出力するメモリしか記載されていないものの、「課題を解決するための手段」の項には「インク量出力手段」と記載されており、本件発明が明細書の発明の詳細な説明に記載されていない事項であるとすることはできず、この点で明細書の記載に不備があるとすることはできない。
　
（５）結び
　以上のことから本件発明は刊行物１及び２記載の発明に基づいて、また、刊行物２、３および６記載の発明に基づいて当業者が容易に発明をすることができたものであるから、本件発明についての特許は、特許法第29条第2項の規定に違反してされたものである。
　したがって、本件発明についての特許は、特許法第113条第2号に該当し、取り消されるべきものである。
　よって、結論のとおり決定する。
【異議決定日】
平成１２年１１月６日（２０００．１１．６）
【訂正の要旨】
訂正の要旨
　（ｉ）訂正事項ａ
　特許請求の範囲の請求項１の「インク量出力手段からカラーインク量情報を出力するステップと、上記インク量出力手段から出力された上記カラーインク量情報に基づいて、上記印刷対象の映像が表示される上記映像表示装置の画面上にカラーインクの残量を示す表示を行なうステップ」を、特許請求の範囲の減縮を目的として、「インク量出力手段から
、インク保持部材に保持されるカラーインクの
、上記インク保持部材に保持される
　（ｉｉ）訂正事項ｂ
　特許明細書の段落番号【０００５】の「インク量出力手段からカラーインク量情報を出力するステップと、インク量出力手段から出力されたカラーインク量情報に基づいて、印刷対象の映像が表示される映像表示装置の画面上にカラーインクの残量を示す表示を行なうステップ」を、明りょうでない記載の釈明を目的として、「インク量出力手段から
、インク保持部材に保持されるカラーインクの
、インク保持部材に保持される
（５４）【発明の名称】
プリンタのインク残量表示方法
（５７）【特許請求の範囲】
　【請求項１】　印刷対象の映像が映像表示装置に表示されるプリンタのインク残量表示方法において、
　インク量出力手段から
、インク保持部材に保持されるカラーインクの
上記インク量出力手段から出力された上記カラーインク量情報に基づいて、上記印刷対象の映像が表示される上記映像表示装置の画面上に
、上記インク保持部材に保持される
【発明の詳細な説明】
　【０００１】
　【発明の属する技術分野】
　本発明は映像信号や各種データをプリントするプリンタ等のカラーインク残量表示方法に係わり、特にインクリボン等のカラーインク量の残量表示方法に関する。
　【０００２】
　【従来の技術】
　従来から、各種データや映像信号をプリントアウトするプリンタは種々のものが提案されている。例えばカラービデオプリンタではモニタテレビとカラービデオプリンタは互いに接続されてプリント内容はモニタテレビに映出されると共にプリンタの各種メッセージはプリンタに配設したＬＥＤ等を点灯させることで操作者にプリンタの動作状態等を知らせていた。例えば、プリンタ側でプリント指示釦を押圧すると、モニタテレビはプリンタ内のメモリに格納されているプリント画像信号をモニタ出来る構成と成されて、例えば、プリントアウトするときにはプリント釦を押圧すれば、メモリに格納されていたプリント画像信号がプリントアウトされるが、プリント中の表示はプリンタに配設したプリント中のＬＥＤが点灯する様に成されている。
　【０００３】
　【発明が解決しようとする課題】
　従来構成のプリンタによると、プリンタの動作状態或は操作状態を操作者側にきめ細かく知らせることが出来ないため、インクリボン等のカラーインク残量が解らず、カラーインクがなくなった時に途中でプリントが終了してしまいカラー映像信号が完全にカラープリントされていないプリント紙の排出が行なわれて、無駄なプリントを行なう弊害があった。又、故障原因等も解らずに修理に出す等の問題があった。
　【０００４】
　本発明は叙上の問題点に鑑み成されたもので発明が解決しようとする課題はプリンタ画像を表示する表示手段にインクリボン等のカラーインク残量等のメッセージを表示させることで使用者が操作し易いプリンタが得られるカラーインク残量表示方法を提供しようとするものである。
　【０００５】
　【課題を解決するための手段】
　本発明は印刷対象の映像が映像表示装置に表示されるプリンタのインク残量表示方法において、インク量出力手段から
、インク保持部材に保持されるカラーインクの
、上記インク保持部材に保持される
　【０００６】
　本発明のインク残量表示方法ではプリンタの入力手段で支持した各種メッセージはプリンタ映像等を表示する表示手段に表示されるので、インクリボンのカラーインク量の残量を使用者に知らせることが出来るので、カラー映像信号のカラープリント時にカラーインク切れでプリンタが動作しない等の状態が解り、使用者には使い勝手のよいインク残量表示方法が得られる。
　【０００７】
　【発明の実施の形態】
　以下、本発明のビデオプリンタを図面によって詳記する。
　【０００８】
　本例のプリンタ、例えばカラービデオプリンタに於ける構成を図１及び図２に示す。図１で１はカラービデオプリンタであり、プリント操作はキー装置２で行なわれる。このキー装置２には大きく分けてメモリに関係する操作部２ａとプリントに関する操作部２ｂと、プリント画の画質・色調の調整部２ｃと、入力選択釦２ｄより成るが、これら詳細は動作説明と共に図２で後述する。
　【０００９】
　３はモニタテレビでカラービデオプリンタ１に接続され、再生している画像と、プリントする画像を見ることが出来、且つカラービデオプリンタ１からの各種メッセージを表示させることが出来る様に成されている。又、４はプリントしたい信号源を再生、撮像するビデオ機器でカラービデオプリンタ１に接続されている。
　【００１０】
　カラービデオプリンタ１に接続出来るビデオ機器としてはＮＴＳＣコンポジットビデオ信号を出力するＶＴＲ、ビデオカメラ、ビデオディスクプレーヤ、静止画伝送機器、Ｓ映像信号出力を持ったＶＴＲ、コンポーネント信号（色差信号）の出力を持ったＶＴＲ、静止画像記録用の所謂スチールカメラ、静止画伝送機並びにＲ（赤）、Ｇ（緑）、Ｂ（青）信号出力を持ったパーソナルコンピュータ、静止画伝送機器等がある。
　【００１１】
　５はビデオ機器に接続されたモニタテレビであり、ビデオ機器４の再生画像を常時モニタすることが出来る。
　【００１２】
　上述構成のカラービデオプリンタ１で画像をプリントする場合には、カラービデオプリンタ１のカバー１ａを開いてインクリボンカセットを挿入し、更に給紙トレー１ｂにプリント紙又はオーバーヘッドプロジェクタ（以後ＯＨＰと記す）用のシートを挿入して、モニタテレビ３及びカラービデオプリンタ１の電源スイッチ１ｃを“オン”状態とし、キー装置２の入力選択釦２ｄを押圧し、入力信号を選択すると入力の画像信号がモニタテレビ３に映出される。
　【００１３】
　しばらくすると入力信号の表示が消えるようになっている。次にプリントしたい画面がモニタテレビ３に現れたら、図２で示すメモリイン釦２ａ１を押圧すると、メモリに画像が記憶される。次にキー装置２中のプリント釦２ｂ１を押圧すれば、カラービデオプリンタ１からはプリント画がプリントアウトされる。
　【００１４】
　更に、クリヤ釦２ａ２を押圧すればメモリに格納されていたプリント画像情報がクリヤされる。尚、２ｂ２はプリントを途中で止めるプリント停止釦、２ｂ３はプリントのメモリ画像と入力中の画像とを切換える入力／メモリ切換釦を示している。
　【００１５】
　図３は本例の系統図であり、例えばカラービデオプリンタ１から成る印字装置はキー装置２とマイクロコンピュータ６及びＲＡＭ１２、ＲＯＭ１３等のメモリ並びにカラービデオプリンタの印字手段であるメカ部１０、ヘッド制御部１１、プリント画像用メモリ９（ＲＡＭ１２と兼用してもよい）を有するＣＲＴコントロール部７等で構成され、ビデオ機器４からの画像信号はマイクロコンピュータ６の入カインターフェース等の入力手段６ａに入力され、マイクロコンピュータ６に供給される。
　【００１６】
　マイクロコンピュータ６の表示出力はＣＲＴコントロール部７を通してモニタテレビ３に供給され、ＣＲＴ上に入力画像信号或はプリント画像用メモリ９に格納された画像信号を映出させる。　　【Ｏ０１７】
　マイクロコンピュータ６とプリント画像用メモリ９、メカ部１０、ヘッド制御部１１、ＲＡＭ１２、ＲＯＭ１３、キー装置２並びにＣＲＴコントロール部７間は互いにデータバス或はコントロールバスを通じて接続されている。
　【００１８】
　本例では、マイクロコンピュータ６がＣＲＴコントロール部７を介して、各種メッセージ用の信号を出力し、モニタテレビ３の画面上に各種メッセージを表示する。この表示を使用者がみてキー装置２の適当な押釦を押圧すると、その押釦に応じたメッセージを再びＣＲＴコントロール部７に、出力し、ＣＲＴコントロール部７がモニタテレビ３に対応メッセージを表示させると共に押釦の命令をマイクロコンピュータは実行する様に各部に制御信号を出力する。
　【００１９】
　本例のプリンタではフルプリント画像を得る等の各種動作及びその表示をモニタテレビのＣＲＴ上に行なうことが出来るが、これら、動作のうちの代表的な動作表示を図４乃至図９の流れ図と表示例によって説明する。
　【００２０】
　図４はフレーム又はフィールド選択表示の流れ図である。一般にフル画面でプリントする場合に早く動いている映像を記憶させると画像がぶれてしまうことがあるので図２に示すフレーム／フィールド釦２ａ３を押圧すると、フレームモードからフィールドモードに変わって、モニタテレビ３の画面上に映出される画面のずれが止まる様になっている。
　【００２１】
　図３に示すプリント画像用メモリ９は最低１フレーム分の画像を記憶する容量を有し、フレーム／フィールド釦２ａ３の押圧でプリント画像メモリ９を１画面として利用する場合と、２枚に分けて使う場合に使い分ける様になされている。
　【００２２】
　今、図３のキー装置２のフレーム／フィールド釦２ａ３が操作されたときの動作を図４で説明すると、マイクロコンピュータ６は第１ステップＳ１でフレーム／フィールド釦２ａ３が“オン”されたか否かを判断し、ＮＯであれば第１ステップＳ１に戻るがフレーム／フィールド釦２ａ３が押圧されていれば次の第２ステップで現在はフレームモードか否かをマイクロコンピュータ６は判断する。
　【００２３】
　フレームモードでなければマイクロコンピュータ６はＣＲＴコントロール部７を介してモニタテレビ３のＣＲＴ画面の下端に第３ステップＳ３に示す様に第１フィールドモードと第２フィールドモード即ちメモリページを表す記号「１Ａ１Ｂ」の間を離れて表示する。
　【００２４】
　又、第２ステップＳ２がフレームモードであれば第４ステップＳ４に示す様に「１Ａ１Ｂ」は接近した状態で表示され、第３及び第４ステップＳ３，Ｓ４後は第１ステップＳ１に戻る動作が行なわれる。
　【００２５】
　図５Ａはプリント画像メモリ９に記憶されるフレームモード画像１４及び第１及び第２のフィールドモードの模式的画像１５，１６を、図５Ｂはフレームモード１４での「１Ａ１Ｂ」の表示１７を示し、この場合は１Ａと１Ｂ間が接近表示された例を示し、第１及び第２のフィールドモード１５，１６では「１Ａ　１Ｂ」の表示１８，１９は１Ａと１Ｂ間が離れて表示される。
　【００２６】
　尚、図５Ｂで第１のフィールドモード１５を選択するか、第２のフィールドモード１６を選択するかは図２のメモリページ釦２ａ４の押圧によって行なわれる。
　【００２７】
　又、図５Ｂでプリントされているメモリページは四角で囲われ、現在選択されていれば赤で表示し、印字中であれば点滅する様になされる。又Ｑ１はプリント枚数で例えば、必要なプリント枚数が５枚必要な場合は図２に示すプリント量釦２ｂ４のプラス釦を５回押せばモニタテレビ３の表示枚数はＱ１→Ｑ２→Ｑ３→Ｑ４→Ｑ５と変化するマイナス釦を押せば減算される。
　【００２８】
　尚、図５ＢのＭはプリント画像用メモリ９にメモリされている画像を示すものでビデオ機器からの入力画像のときはＩを表示する。
　【００２９】
　図６はインクリボンの残量を表示するための流れ図である。
　【００３０】
　図１でカバー１ａを開いて、インクリボンカセットを挿入し、１枚のプリントをとるとリボン残量表示が行なわれる。即ち、図２の残りリボン釦２ｂ５を押している間、モニタテレビ３にはリボンの種類と残り枚数が表示される。例えばリボンの種類がカラーで残り枚数が９９枚であれば「ＣＯＬＯＲ　ＲＩＢＢＯＮ　９９」
の如き表示がＣＲＴ画面の中央に出る。
　【００３１】
　この様なリボン残量を表示するフローを図６で説明する。図６で第１ステップＳＴ１では残りリボン釦２ｂ５が“オン”か否かをマイクロコンピュータ６は判断する。ＮＯであれば第１ステップＳＴ１を繰り返すが“オン”されていれば、第２ステップＳＴ２では現在どんなリボンが掛かっているかをみる。
　【００３２】
　リボンの種類は白黒リボン、カラーリボン、ＯＨＰリボンの３種類か、リボンが掛かっていない場合の４種類であり、マイクロコンピュータ６はこれら４通りを選別出来る様に成されている。リボンがカバー１ａ内に完全に挿入されていれば白黒、カラー、ＯＨＰリボンの夫々の場合に第３ステップＳＴ３で何枚残っているかをメモリから読み出し、白黒リボンの場合は第４ステップＳＴ４に示す様に、
　「Ｂ／Ｗ　ＲＩＢＢＯＮ　９９」
の様な表示を、同様にカラーリボンの場合は第５ステップＳＴ５に示す様に
　「ＣＯＬＯＲ　ＲＩＢＢＯＮ　９９」
の様な表示を、ＯＨＰリボンの場合は第６ステップＳＴ６に示す様に、
　「ＯＨＰ　ＲＩＢＢＯＮ　９９」
の様な表示が夫々モニタテレビ３のＣＲＴ画面になされる。
　【００３３】
　又、カセットがカバー１ａ内に挿入されていない場合は「ＮＯ　ＣＡＳＳＥＴＴＥ」を表示する（第７ステップＳＴ７）。これら所定の表示が行なわれた後に残りリボン釦２ｂ５が“オフ”になったか否かをマイクロコンピュータ６は第８ステップＳＴ８で判断し、ＮＯであれば第８ステップＳＴ８を繰り返し判断するが、ＹＥＳであればモニタテレビ３のＣＲＴ画面上の上述の各表示を第９ステップＳＴ９に示す様に消すことで第１ステップＳＴ１に戻される。
　【００３４】
　次に図７及び図８の流れ図について説明する。図２でプリント画の画質、色調を調整する調整部２ｃ内の例えば、グレースケール釦２ｃ１ではプリントされるべき画像とモニタテレビ３のＣＲＴ画面の色合わせを行なうことが出来る。
　【００３５】
　又、シャープネス釦２ｃ２を押圧すればプリント画の画質は低「Ｌ」、中「Ｍ」、高「Ｈ」に順次切り換えることが出来る。「Ｌ」の場合は画像の輪郭がぼけ、「Ｈ」では輪郭は強調され、「Ｍ」では中間の値を保つ様に成されている。
　【００３６】
　図７乃至図９に示す流れ図はサービスマンがプリンタを修理するモードで用いるもので、キー装置２に操作対応釦は設けられていないが、図７に示すプリント枚数を表示させる流れ図では第１ステップＳＴＥ１で上述のシャープネス釦２ｃ２とグレースケール釦２ｃ１とを同時に押圧した時に、プリント枚数を表示するメッセージをモニタテレビ３に表示させる様にする。
　【００３７】
　図７の第１ステップＳＴＥ１で２つの押釦が同時に“オン”が否かをマイクロコンピュータ６が判断し、ＮＯであれば第１ステップＳＴＥ１に戻るが、ＹＥＳであれば第２ステップＳＴＥ２では不揮発性のメモリに書かれている、プリント枚数を読み込む。
　【００３８】
　第３ステップＳＴＥ３ではＣＲＴコントロール部７を介してモニタテレビ３のＣＲＴ画面に読み込んだ内容を「６５５３６　ＰＲＩＮＴＳ」の様に今まで何枚プリントされたかを表示している。
　【００３９】
　図８はプリンタ内に用いられている各種センサのレベルを表示させ様とするもので、第１ステップＳＴＥＰ１では図７と同様に、所定の約束で定めた２つの押釦が同時に押圧されたか否かをマイクロコンピュータ６は判断する。
　【００４０】
　ＮＯであれば第１ステップＳＴＥＰ１に戻し、ＹＥＳであれば第２ステップＳＴＥＰ２で各種のセンサのレベルを読み込む。
　【００４１】
　次に第３ステップＳＴＥＰ３では読み込んだレベルをＣＲＴコントロール部７を介してモニタテレビ３に表示する。表示内容はセンサ名、センサの基本特性がＨかＬか、現在の極性がＨかＬか等であり、例えば、「ＥＤＧＥ〔Ｈ〕Ｌ」の様に表示する。この様にすると各種のセンサのレベルを何の測定器もなく、みることが出来る。
　【００４２】
　図９の実施例は各種エラーの表示を行なうもので各種エラー表示としては種々のものがあるが、リボンが無くなったことを知らせる「エンド　オブ　リボン」表示、インクリボンカセットがカバー１ａ内に正しく差し込まれていないことを知らせる「インサートリボン」表示、紙づまりであることを知らせる「フィードエラー」表示、給紙トレーが正しく差し込まれていないことを知らせる「インサートトレー」表示、選択されている入力からは現在信号が入っていないことを知らせる「ノーインプット」表示、プリント紙が途中に残っていることを知らせる「プリーズ　ウェイト」表示、紙づまりを知らせる「プロセスエラー」表示、リボンが切れ或はからまったことを知らせる「リボンエラー」表示、トレー中のプリント紙が表裏逆であることを知らせる「ターンペーパオーバ」表示、プリント紙がないことを知らせる「ノペーパ」表示等がある。
　【００４３】
　図９はこの様なエラー表示を示すフローであり、第１ステップＳＴＥＰ１ａでは各種エラーセンサでエラーが発生したか否かをマイクロコンピュータ６は判断する。ＮＯであれば第１ステップＳＴＥＰ１ａに戻るがＹＥＳであれば第２ステップＳＴＥＰ２ａでモニタテレビ３にＣＲＴコントロール部７を通じてエラーに応じた例えば、プリント紙がないときには「ＮＯ　ＰＡＰＥＲ」の表示が行なわれ、第３ステップＳＴＥＰ３ａでマイクロコンピュータ６は各種のエラーが解除されたか否かを判断し、ＮＯであれば第３ステップＳＴＥＰ３ａに戻るが、ＹＥＳであれば第１ステップＳＴＥＰ１ａに戻す。
　【００４４】
　この様に故障状態の表示が使用者に直ちに解るので、使用者は、エラー対応を迅速に行なうことが出来る。
　【００４５】
　尚、本発明のカラープリンタでは叙上に説明しない、例えば入力されている画像信号がＮＴＳＣコンポジットか、コンポーネント信号か或はＲＧＢ信号なのか等の表示や、画面の色調整表示等も行なわれている。
　【００４６】
　叙上の実施例の表示方法は、その１例を示したもので各種表示方法でモニタテレビ３のＣＲＴ画面に表示することが出来ることは勿論である。又、モニタテレビ３とカラービデオプリンタ１並びにキー装置２を別体に構成した例を説明したが、これらをプリンタ１内に一体化する等、上述の各実施例に限定されることなく、本発明の要旨を逸脱しない範囲で種々に変形することが出来る。
　【００４７】
　【発明の効果】
　本発明のインク残量表示方法によれば、プリントすべきカラー映像を表示するモニタテレビ上に使用者との間の各種メッセージを表示するので極めてスムーズにプリンタと操作者間で種々のコミュニケーションを計ることが出来る。特にインクリボン等のカラーインク量の残量が表示されるので、ユーザがインクの残量を確認し易く、使い勝手のよいインク残量表示方法が得られ、然もＬＥＤ等の表示部品を必要としないためにプリンタ構成を単純、廉価にすることも出来る効果を有する。
【図面の簡単な説明】
　【図１】
　本発明のインク残量表示方法を示すプリンタの構成配置図である。
　【図２】
　本発明のインク残量表示方法を示すプリンタのキー装置の一形態例を示す配置図である。
　【図３】
　本発明のインク残量表示方法を示すプリンタの一形態例を示す系統図である。
　【図４】
　本発明のインク残量表示方法に用いるプリンタのフレーム又はフィールド選択表示の流れ図である。
　【図５】
　本発明のインク残量表示方法に用いるプリンタの画面表示例を示すＣＲＴ正面図である。
　【図６】
　本発明のインク残量表示方法を示すプリンタのリボン残量を表示する流れ図である。
　【図７】
　本発明のインク残量表示方法に用いるプリンタのプリント枚数を表示する流れ図である。
　【図８】
　本発明のインク残量表示方法に用いるプリンタのセンサレベルを表示する流れ図である。
　【図９】
　本発明のインク残量表示方法に用いるプリンタの各種エラーを表示する流れ図である。
　【符号の説明】
　１・…カラービデオプリンタ、２…・キー装置、３，５…・テレビモニタ、４…・ビデオ機器、９…・プリント画像用メモリ